(57)【特許請求の範囲】
【請求項１】
可撓性を有する絶縁層と、
前記絶縁層の一面に、正方形ないし長方形のメッシュ構造に設けられたグラウンド線と、
前記グラウンド線が設けられた前記絶縁層の他面に、前記グラウンド線及び前記メッシュ構造の任意の交点を結ぶ全ての直線と平行にならないように延伸して配線された信号線
とを備えることを特徴とするフレキシブルプリント配線板。
【請求項２】
可撓性を有する絶縁層と、
前記絶縁層の一面に、正方形ないし長方形のメッシュ構造に設けられたグラウンド線と、
前記グラウンド線が設けられた前記絶縁層の他面に、前記グラウンド線及び前記メッシュ構造の交点のみと交わる直線のそれぞれと７°の角度をなして延伸して配線された信号線
とを備えることを特徴とするフレキシブルプリント配線板。
【発明の詳細な説明】
【技術分野】
【０００１】
本発明は、プリント配線板に関し、特にインピーダンスが制御されたフレキシブルプリント配線板に関する。
【背景技術】
【０００２】
近年、電子機器の高密度配線に、信号層、グラウンド層、及び電源層等を積層してなる多層構造のプリント配線板が用いられている。多層構造のプリント配線板には、絶縁層の片面に信号層として信号線を配線し、もう一方の面をグラウンド面とするものがある。フレキシブル基板を用いたプリント配線板のグラウンド面は、屈曲性を向上させるためにメッシュ構造にすることがある。グラウンド面のメッシュ構造として、信号線と平行な線及び垂直な線からなるメッシュ構造にしてインピーダンス制御を行うプリント配線板の開示がある（例えば、特許文献１参照。）。
【０００３】
しかしながら、グラウンド層を信号線と平行な線及び垂直な線からなるメッシュ構造とすると、信号線とメッシュ構造の位置関係によりインピーダンスが異なる。例えば、図４に示すように、信号線１００がグラウンド線２００のメッシュ構造の間に位置する場合と、信号線１０１がグラウンド線２００のメッシュ構造の上に位置して一致する場合のインピーダンスを比較すると、信号線１００と信号線１０１が同じ幅であるときには、信号線１０１の場合の方がインピーダンスが高くなる。また、信号線１００と信号線１０１のようにメッシュ構造との位置関係によりインピーダンスが異なることを解消するために、各信号線の幅を変更してインピーダンスを制御することは、設計作業を繁雑にする。
【０００４】
また、図５に示すように、正方形のメッシュ構造で、信号線１０２，１０３がグラウンド線２００のメッシュ構造と４５°の角度をなす位置関係にある場合でも、それぞれ信号線１０２，１０３のインピーダンスが異なってしまう（詳細は後述する）。
【特許文献１】特開２００３−１３３６５９号公報
【発明の開示】
【発明が解決しようとする課題】
【０００５】
本発明は、インピーダンスを制御する信号線とグラウンド線のメッシュ構造との位置関係を有するフレキシブルプリント配線板を提供することを目的とする。
【課題を解決するための手段】
【０００６】
本願発明の一態様によれば、可撓性を有する絶縁層と、絶縁層の一面に、正方形ないし長方形のメッシュ構造に設けられたグラウンド線と、グラウンド線が設けられた絶縁層の他面に、グラウンド線及びメッシュ構造の任意の交点を結ぶ全ての直線と平行にならないように延伸して配線された信号線とを備えるフレキシブルプリント配線板であることを要旨とする。
本願発明の他の態様によれば、可撓性を有する絶縁層と、絶縁層の一面に、正方形ないし長方形のメッシュ構造に設けられたグラウンド線と、グラウンド線が設けられた絶縁層の他面に、グラウンド線及びメッシュ構造の交点のみと交わる直線のそれぞれと７°の角度をなして延伸して配線された信号線とを備えるフレキシブルプリント配線板であることを要旨とする。
【発明の効果】
【０００７】
本発明によれば、インピーダンスを制御する信号線とグラウンド線のメッシュ構造との位置関係を有するフレキシブルプリント配線板を提供することができる。
【発明を実施するための最良の形態】
【０００８】
以下に図面を参照して、本発明の実施の形態を説明する。以下の図面の記載において、同一又は類似の部分には同一又は類似の符号で表している。但し、図面は模式的なものであり、厚みと平面寸法との関係、各層の厚みの比率等は現実のものとは異なる。したがって、具体的な厚みや寸法は以下の説明を照らし合わせて判断するべきものである。また、図面相互間においても互いの寸法の関係や比率が異なる部分が含まれていることは勿論である。
【０００９】
本発明の実施の形態に係るフレキシブルプリント配線板は、図１及び図２に示すように、可撓性を有する絶縁層３と、絶縁層３の一面にグラウンド層２として、メッシュ構造に設けられたグラウンド線２０と、グラウンド線２０が設けられた絶縁層３の他面に信号層１として、グラウンド線２０及びメッシュ構造の交点のみと交わる直線のそれぞれと平行にならないように延伸して配線された信号線１０とを備える。
【００１０】
絶縁層３としては、例えばポリイミド基板、ポリエチレンテレフタレート（ＰＥＴ）基板、ポリエチレンナフタレート（ＰＥＮ）基板等の可撓性を有するフレキシブル基板を用いることができる。絶縁層３の厚さは、２５μｍ、１２．５μｍ、８μｍ、６μｍ等を採用することができる。
【００１１】
グラウンド層２は、信号層１の信号線１０で発生するノイズ等を防ぐために設けられている。グラウンド線２０は、フレキシブルプリント配線板の屈曲性を損なわないためにメッシュ構造をとる。グラウンド線２０は、垂直に交差することでメッシュ構造を形成する。グラウンド線２０のパターン幅は１０〜５００μｍを採用することができ、好ましくは５０〜３００μｍ、更に好ましくは７０〜１５０μｍとする。グラウンド線２０の厚さは、３５μｍ、１８μｍ、１２μｍ、９μｍ等を採用することができる。
【００１２】
信号線１０は、絶縁層３上に圧延銅箔または電解銅箔等によりパターン加工して形成される。信号線１０には、銅箔以外の金属箔を導体として使うことも可能である。信号線１０のパターン幅は１０〜５００μｍを採用することができ、好ましくは５０〜３００μｍ、更に好ましくは７０〜１５０μｍとする。信号線１０の厚さは、３５μｍ、１８μｍ、１２μｍ、９μｍ等を採用することができる。
【００１３】
信号線１０は、図１において、単線で示してあるが、複数であっても構わない。信号線１０が複数である場合、信号線１０のピッチ幅は１０〜５００μｍを採用することができ、好ましくは、６０〜３００μｍ、更に好ましくは７０〜１５０μｍとする。信号線１０が複数配線される場合、信号線１０の間には補助導線（図示せず）が配線されることがある。補助導線は、裏面のグラウンド層２へスルーホールで接続され、信号線１０間のノイズを防ぐ。
【００１４】
信号線１０の接続端子部を除いた箇所、及びグラウンド線２０上にはそれぞれ、接着後も優れた柔軟性を有する絶縁性のポリイミドフィルム等を基材にしたカバーレイやレジストの保護膜（図示せず）を配置する。保護膜で保護されていない信号線１０の接続端子部等の露出している導体には、プリフラックス処理、ホットエアレベラ（ＨＡＬ）、電解半田めっき、及び無電解半田めっき等で表面処理を行う。
【００１５】
（実施例）
本発明の実施の形態に係るフレキシブルプリント配線板を用いた実施例と従来例との比較を示す。
【００１６】
実施例として、フレキシブルプリント配線板は、絶縁層３に厚さが２５μｍのポリイミド基板を用いる。信号線１０及びグラウンド線２０は、絶縁層３の両面に接着剤厚１０μｍで接着した厚さ１８μｍの銅箔で形成する。保護膜には、接着剤厚２５μｍで接着した厚さ１２．５μｍのポリイミドフィルムをカバーレイとして用いる。
【００１７】
本発明の実施例における、信号線１０とグラウンド線２０のメッシュ構造の位置関係は、図１に示すように、信号線１０がメッシュ構造の交点で３８°と５２°に二分するように交わる位置関係とする。
【００１８】
本発明の実施例と比較する従来例１としては、図５に示したように、信号線とグラウンド線のメッシュ構造の位置関係は、信号線１０３がメッシュ構造と４５°で交わり、メッシュ構造の交点を通るように配置する位置関係とする。また、従来例２としては、信号線とグラウンド線のメッシュ構造の位置関係は、信号線１０２がメッシュ構造と４５°で交わり、メッシュ構造の交点を通らないように配置する位置関係とする。
【００１９】
実施例、従来例１、及び従来例２における、信号線幅と特性インピーダンスの関係を図３のグラフで示す。図３のグラフによると、従来例１及び従来例２は、信号線とグラウンド線のメッシュ構造との位置関係に依存して、特性インピーダンスがそれぞれ異なる。それに対して本発明の実施例は、信号線とグラウンド線のメッシュ構造との位置関係に依存しない。
【００２０】
したがって、本発明の実施の形態に係るフレキシブルプリント配線板によれば、信号線１０がグラウンド線２０及びグラウンド線２０が形成するメッシュ構造の交点を結ぶ線と平行にならないように延伸して配線されるため、インピーダンスが信号線１０とグラウンド線２０のメッシュ構造との位置関係に依存しないので、インピーダンスを制御する必要がなくなる。また、インピーダンスを制御する必要がないので、各信号線の幅を変更してインピーダンスを制御する必要もなくなり、設計作業を簡易にすることができる。
【００２１】
（その他の実施の形態）
上記のように、本発明は実施の形態によって記載したが、この開示の一部をなす記述及び図面はこの発明を限定するものであると理解するべきではない。この開示から当業者には様々な代替実施の形態、実施例及び運用技術が明らかになるはずである。
【００２２】
例えば、実施の形態においてフレキシブルプリント配線板は３層で示してあるが、３層に限らず複数の多層プリント配線板であっても構わない。
【００２３】
この様に、本発明はここでは記載していない様々な実施の形態等を包含するということを理解すべきである。したがって、本発明はこの開示から妥当な特許請求の範囲の発明特定事項によってのみ限定されるものである。
【図面の簡単な説明】
【００２４】
【図１】本発明の実施の形態に係るフレキシブルプリント配線板の信号線とグラウンド線のメッシュ構造との位置関係を示す平面図である。
【図２】本発明の実施の形態に係るフレキシブルプリント配線板の模式的断面図である。
【図３】本発明の実施の形態に係るフレキシブルプリント配線板と従来例との比較した結果を示すグラフである。
【図４】従来の信号線とグラウンド線のメッシュ構造との位置関係を示す平面図（その１）である。
【図５】従来の信号線とグラウンド線のメッシュ構造との位置関係を示す平面図（その２）である。
【符号の説明】
【００２５】
１…信号層
２…グラウンド層
３…絶縁層
１０，１００，１０１，１０２，１０３…信号線
２０，２００…グラウンド線
【図１】
0004838006.tif 000002
【図２】
0004838006.tif 000003
【図３】
0004838006.tif 000004
【図４】
0004838006.tif 000005
【図５】
0004838006.tif 000006